(57)【要約】      （修正有）【課題】側辺部分を強化した緩衝包装袋を提供する。【解決手段】少なくとも一側辺の所定の数量の気体室１０の熱シール部３１の位置に、複数の熱シール点６１、６２が設置され、熱シール点６１、６２は緩衝包装袋１の上部と下部とを加熱接続したものであり、気体が気体供給口２から充填された後、気体は熱シール点６１、６２を通過し、選定された側辺方向から保留された気体室１１、１２内に進入して気体室１１、１２を柱状に膨張させ、袋体の側辺に連結されて完成される。【選択図】図３
0003112319.tif 000002
【実用新案登録請求の範囲】
【請求項１】
複数の気体室が連結されて構成された側辺部分を強化した緩衝包装袋であって、
前記各気体室は熱シール部によって分割され、前記各気体室の頚部の位置には気体供給部が設けられ、前記気体供給部はお互いに連通しており、前記緩衝包装袋の一側には気体供給口が設けられ、気体を前記気体供給口から各気体室内に充填でき、
少なくとも一側辺の所定の数量の気体室の熱シール部の位置には複数の熱シール点が設置され、前記熱シール点は緩衝包装袋の上部と下部とを加熱接続したもので、気体は気体供給口から充填された後に前記複数の熱シール点を通過し、選定された側辺方向から保留された気体室内に進入して前記気体室を柱状に膨張させ、緩衝包装袋の側辺に連結されて完成されることを特徴とする側辺部分を強化した緩衝包装袋。
【請求項２】
前記少なくとも一側辺に設けられた気体室の所定数量は、一つであることを特徴とする請求項１記載の側辺部分を強化した緩衝包装袋。
【請求項３】
前記熱シール点は、間隔を空けて設置されており、熱シール点と熱シール点との間は所定の間隔を有することを特徴とする請求項１記載の側辺部分を強化した緩衝包装袋。
【請求項４】
前記緩衝包装袋内に充填される気体は、空気またはその他不活性気体であることを特徴とする請求項１記載の側辺部分を強化した緩衝包装袋。
【考案の詳細な説明】
【技術分野】
【０００１】
本考案は緩衝包装袋に関し、緩衝包装袋の少なくとも一側に柱状体を形成し、側辺部分を強化した緩衝包装袋に関する。
【背景技術】
【０００２】
図１に示すように、従来技術による緩衝包装袋１００は複数の気体室１０が連結されて構成されており、各気体室１０間は熱シール部３１によって分割されており、各気体室１０頚部には気体供給部１４が設けられ、これらの気体供給部１４はお互いに連通しており、気体は緩衝包装袋１００の気体供給口２から進入した後、連通した気体供給部１４から各気体室１０に進入して気体の充填が行われる。緩衝包装袋１００には熱シール部３７、３８、４０が設けられており、気体室１０を密封空間にしている。斜め熱シール部３２、３９および耐熱部３３は、気体が気体室１０に進入する流路を構成している。緩衝包装袋１００に気体を充填した後、折目４１、４２、４３、４４によって折り曲げられ、立体の袋体が形成される。
【０００３】
図２に示すように、気体充填装置によって気体供給口２から緩衝包装袋１００に気体の充填が行われ、気体は気体供給部１４から各気体室１０内に進入し、気体室１０は膨張し、膨張した緩衝包装袋１００に収容空間が形成される。気体供給部１４から緩衝包装袋１００の開口部５０を開け、収容物を開口部５０から緩衝包装袋１００内部に収容し、収容物は緩衝包装袋１００の気体室１０の保護を受け、運送途中に衝撃を受けて破損するのを防止できる。
【０００４】
しかし、緩衝包装袋１００両側は熱シール部３１の関係によって、気体室１０の両外側が収縮し、気体室１０による保護が不完全になり、運送途中に側面からの衝撃を受けた場合、収容物は衝撃を受けて破損し、収容物保護という目的を達成できない。
【考案の開示】
【考案が解決しようとする課題】
【０００５】
本考案の目的は、複数の気体室が連結されて構成されており、各気体室は熱シール部によって分割され、各気体室の頚部の位置には気体供給部が設けられ、気体供給部はお互いに連通しており、緩衝包装袋の一側には気体供給口が設けられ、気体を気体供給口から各気体室内に充填でき、少なくとも一側辺の所定の数量の気体室の熱シール部の位置には複数の熱シール点が設置され、熱シール点は緩衝包装袋の上部と下部とを加熱接続したもので、気体が気体供給口から充填された後、気体は複数の熱シール点を通過し、選定された側辺方向から保留された気体室内に進入して気体室を柱状に膨張させ、緩衝包装袋の側辺に連結されて完成されることを特徴とする側辺部分を強化した緩衝包装袋を提供することにある。
本考案のもう一つの目的は、前述の少なくとも一側辺に設けられた気体室の所定数量は、一つであり、前述の熱シール点は間隔を空けて設置されており、熱シール点と熱シール点との間は所定の間隔を有することを特徴とする側辺部分を強化した緩衝包装袋を提供することにある。
【課題を解決するための手段】
【０００６】
上記課題を達成するために、請求項１の考案は、複数の気体室が連結されて構成された側辺部分を強化した緩衝包装袋であって、各気体室は熱シール部によって分割され、各気体室の頚部の位置には気体供給部が設けられ、気体供給部はお互いに連通しており、緩衝包装袋の一側には気体供給口が設けられ、気体を気体供給口から各気体室内に充填できる。少なくとも一側辺の所定の数量の気体室の熱シール部の位置には複数の熱シール点が設置され、熱シール点は緩衝包装袋の上部と下部とを加熱接続したもので、気体は気体供給口から充填された後に複数の熱シール点を通過し、選定された側辺方向から保留された気体室内に進入して前述の気体室を柱状に膨張させ、緩衝包装袋の側辺に連結されて完成されることを特徴とする側辺部分を強化した緩衝包装袋である。
【０００７】
請求項２の考案は、少なくとも一側辺に設けられた気体室の所定数量は、一つであることを特徴とする請求項１記載の側辺部分を強化した緩衝包装袋である。
【０００８】
請求項３の考案は、熱シール点は、間隔を空けて設置されており、熱シール点と熱シール点との間は所定の間隔を有することを特徴とする請求項１記載の側辺部分を強化した緩衝包装袋である。
【０００９】
請求項４の考案は、緩衝包装袋内に充填される気体は、空気またはその他不活性気体であることを特徴とする請求項１記載の側辺部分を強化した緩衝包装袋である。
【考案の効果】
【００１０】
本考案による緩衝包装袋は、熱シール点の設置によって、袋体の両側に柱状体を形成でき、袋体の両側辺部分の保護効果を強化でき、袋体両側の柱状体によって、従来技術による緩衝包装袋における運搬中に受けた側部からの衝撃によって収容物が破損するという欠点を改善できた。
【考案を実施するための最良の形態】
【００１１】
図３に示すように、基本的に、本考案による緩衝包装袋１は従来技術とほぼ同様であり、複数の気体室１０が連結されて構成されており、各気体室１０は熱シール部３１によって分割され、各気体室１０の頚部の位置には気体供給部１４が設けられ、気体供給部１４はお互いに連通しており、緩衝包装袋１の一側には気体供給口２が設けられ、気体を気体供給口２から各気体室１０内に充填できる。緩衝包装袋１には熱シール部３７、３８、４０が設けられ、気体室１０を密封空間にしている。
【００１２】
斜め熱シール部３２、３９および耐熱部３３は、気体が気体室１０に進入する流路を構成している。緩衝包装袋１に気体を充填した後、折目４１、４２、４３、４４によって折り曲げられ、立体の袋体が形成される。熱シール部４０から始まり、上部の折目４２、次に背面に設けられている折目４４、４３、次に下部の折目４１、最後に熱シール部３７という順序で密封袋が形成されている。図４は一気体室１０の構造を示す斜視図であり、気体室１０中の熱シール部３７、３８、４０が設置されている面が上部７１であり、その背面が下部７２である。その他、熱シール部３７と熱シール部３８との間には気体供給部１４が形成されており、封止蓋として開口部５０を被覆している。収容物は開口部５０から緩衝包装袋１内へ出し入れされる。
【００１３】
図３に示すように、本考案による緩衝包装袋１右端の所定の数量の気体室１１（本実施形態では一つ）の熱シール部３１の位置には、複数の熱シール点６１が設置されている。熱シール点６１は間隔を空けて設置されており、熱シール点６１と熱シール点６１との間には所定の間隔が空いており、熱シール点６１は緩衝包装袋１の上部７１と下部７２とを加熱接続したものである。その他、緩衝包装袋１左端の所定の数量の気体室１２（本実施形態では一つ）の熱シール部３１の位置にも複数の熱シール点６２が設置されている。熱シール点６２は熱シール点６２は間隔を空けて設置されており、熱シール点６２と熱シール点６２との間には所定の間隔が空いており、熱シール点６２は緩衝包装袋１の上部７１と下部７２とを加熱接続したものである。
【００１４】
作業員がノズルによって気体を緩衝包装袋１の気体供給口２から充填した後、気体は気体供給部１４から各気体室１０内に進入し、気体室１０は膨張し、膨張した緩衝包装袋１は収納空間を形成し、収容物を収容できる。収容物は各気体室１０によって周囲を保護され、振動や衝撃によって破損するのを防ぐことができる。
【００１５】
図５に示すように、気体を充填した後、熱シール点６１、６２は間隔を空けて設置されており、熱シール点６１、６２は隙間を有するので、気体は妨害されることなく熱シール点６１、６２を通過し、左右両側から保留された気体室１１、１２内に進入し、気体室１１、１２が膨張する。熱シール点６１、６２は袋体の上部７１、下部７２を加熱接続したものであるので、膨張した気体室１１、１２は固定され、袋体の主体と熱シール部６１、６２によって一緒に連結され、袋体の両側に連結された柱状体のようになる。その柱状体の存在によって、袋体の両側辺部分の保護効果を強化でき、収容物が運搬過程において側部からの衝撃によって破損するのを防ぎことができ、従来技術による緩衝包装袋における両側辺の強度不足という欠点を改善できた。
【００１６】
側辺部分を強化した緩衝包装袋１に充填する気体は、空気以外に、その他不活性気体でも良い。
【００１７】
本考案による緩衝包装袋１は、熱シール点６１、６２の設置によって、袋体の両側に柱状体を形成でき、袋体の両側辺部分の保護効果を強化でき、袋体両側の柱状体によって、従来技術による緩衝包装袋における運搬中に受ける側部からの衝撃によって収容物が破損するという欠点を改善でき、今までにない優れた構造である。
【００１８】
上述の説明は、好適な実施形態を示したものであり、本考案の技術主旨に基づく当該技術に熟知するものによって容易になされる部分的な変更または修飾は全て本考案の権利に含まれる。
【図面の簡単な説明】
【００１９】
【図１】従来技術による緩衝包装袋の気体未充填時の状態を示す平面図である。
【図２】従来技術による緩衝包装袋の気体充填後の状態を示す斜視図である。
【図３】本考案による緩衝包装袋の気体未充填時の状態を示す平面図である。
【図４】本考案による緩衝包装袋の一気体室の構造を示す斜視図である。
【図５】本考案による緩衝包装袋の気体充填後の状態を示す斜視図である。
【符号の説明】
【００２０】
１    緩衝包装袋
１０、１１、１２  気体室
１４  気体供給部
２    気体供給口
３１、３７、３８、４０  熱シール部
３２、３９  斜め熱シール部
３３  耐熱部
４１、４２、４３、４４  折目
５０  開口部
６１、６２  熱シール点
７１  上部
７２  下部
【図１】
0003112319.tif 000003
【図２】
0003112319.tif 000004
【図３】
0003112319.tif 000005
【図４】
0003112319.tif 000006
【図５】
0003112319.tif 000007